(57)【要約】      （修正有）【課題】シリーズ番組の録画および再生の操作において使用者に対する利便性がより向上した受信装置を提供する。【解決手段】送信装置２００は、共通する特徴を有する複数の番組間の関連性を示すシリーズ情報をシリーズ情報の名称に関連付ける情報であるシリーズ関連情報を記憶している記憶部２１０と、シリーズ関連情報を送信する送信部２３０とを備える。また、受信装置１００は、共通する特徴を有する複数の番組間の関連性を示すシリーズ情報をシリーズ情報の名称に関連付ける情報であるシリーズ関連情報を受信する受信部１１０、１２０、１３０と、受信されたシリーズ関連情報に基づいてシリーズ情報の名称を出力する出力部１６０とを備える。【選択図】図１
2013042485.tif 000002
【特許請求の範囲】
【請求項１】
共通する特徴を有する複数の番組間の関連性を示すシリーズ情報を前記シリーズ情報の名称に関連付ける情報であるシリーズ関連情報を記憶している記憶部と、
前記シリーズ関連情報を送信する送信部と
を備える
送信装置。
【請求項２】
前記記憶部は、同一のシリーズ情報が付与された複数の番組に関する一覧情報である関連番組リスト情報をさらに記憶していて、前記送信部は前記シリーズ関連情報とともに前記関連番組リスト情報を送信する
請求項１記載の送信装置。
【請求項３】
前記関連番組リスト情報は、前記関連番組リスト情報に含まれる各番組の放送日に関する情報を含むことを特徴とする、
請求項２記載の送信装置。
【請求項４】
前記記憶部は前記シリーズ情報の階層構造を示す情報である階層情報をさらに記憶していて、前記送信部は前記階層情報をさらに送信する
請求項１記載の送信装置。
【請求項５】
前記記憶部は前記シリーズ情報の有効／無効を示す情報である有効／無効情報をさらに記憶していて、前記送信部は前記有効／無効情報をさらに送信する
請求項１記載の送信装置。
【請求項６】
共通する特徴を有する複数の番組間の関連性を示すシリーズ情報を前記シリーズ情報の名称に関連付ける情報であるシリーズ関連情報を受信する受信部と、
前記受信されたシリーズ関連情報に基づいて前記シリーズ情報の名称を出力する出力部と
を備える
受信装置。
【請求項７】
前記受信部は、同一のシリーズ情報が付与された複数の番組に関する一覧情報である関連番組リスト情報をさらに受信する、
請求項６記載の受信装置。
【請求項８】
前記関連番組リスト情報は、前記関連番組リスト情報に含まれる各番組の放送日時に関する情報を含むことを特徴とする、
請求項７記載の受信装置。
【請求項９】
前記受信部は前記シリーズ情報の階層構造を示す情報である階層情報をさらに受信する、
請求項６記載の受信装置。
【請求項１０】
前記受信部は前記シリーズ情報の有効／無効を示す情報である有効／無効情報をさらに受信する
請求項６記載の受信装置。
【請求項１１】
送信装置における送信方法であって、
共通する特徴を有する複数の番組間の関連性を示すシリーズ情報を前記シリーズ情報の名称に関連付ける情報であるシリーズ関連情報を記憶部に記録するステップと、
制御部が前記シリーズ関連情報を前記記憶部から読み出すステップと、
前記制御部が、読み出された前記シリーズ関連情報を外部へ送信するステップと、
を含む
送信方法。
【請求項１２】
同一のシリーズ情報が付与された複数の番組に関する一覧情報である関連番組リスト情報を前記記憶部に記録するステップと、
前記制御部が前記関連番組リスト情報を前記記憶部から読み出すステップと、
前記制御部が、読み出された前記シリーズ関連情報とともに前記関連番組リスト情報を外部へ送信するステップと、
をさらに含む  
請求項１１記載の送信方法。
【請求項１３】
前記関連番組リスト情報は、前記関連番組リスト情報に含まれる各番組の放送日に関する情報を含むことを特徴とする、
請求項１２記載の送信方法。
【請求項１４】
前記シリーズ情報の階層構造を示す情報である階層情報を前記記憶部に記録するステップと、
前記制御部が前記階層情報を前記記憶部から読み出すステップと、
前記制御部が、読み出された前記階層情報を外部へ送信するステップと、
をさらに含む
請求項１１記載の送信方法。
【請求項１５】
前記シリーズ情報の有効／無効を示す情報である有効／無効情報を前記記憶部に記録するステップと、
前記制御部が前記有効／無効情報を前記記憶部から読み出すステップと、
前記制御部が、読み出された前記有効／無効情報を外部へ送信するステップと、
をさらに含む
請求項１１記載の送信方法。
【発明の詳細な説明】
【技術分野】
【０００１】
本発明は、送信装置および受信装置に関し、特に番組に関する情報を送信できる送信装置と、番組に関する情報を受信できる受信装置とに関する。また本発明は、送信方法に関し、特に番組に関する情報を送信する送信方法に関する。
【背景技術】
【０００２】
近年、シリーズ番組を予約できる受信装置が普及してきている。「シリーズ番組」とは、種々の条件で番組を分類したときの一群の番組、すなわち番組の内容に関して共通の特徴を有する一群の番組のことである。
【０００３】
こうしたシリーズ番組を扱う受信装置として、例えば、特許文献１記載の記録再生装置がある。特許文献１記載の記録再生装置は、シリーズ番組に関する情報を受信し、シリーズ番組の著作権保護方式を把握する。
【先行技術文献】
【特許文献】
【０００４】
【特許文献１】特開２０１０−５６８６１号公報
【発明の概要】
【発明が解決しようとする課題】
【０００５】
本発明の目的は、シリーズ番組の録画および再生の操作において使用者に対する利便性がより向上した送信装置、受信装置および送信方法を提供することである。
【課題を解決するための手段】
【０００６】
本発明にかかる送信装置は、共通する特徴を有する複数の番組間の関連性を示すシリーズ情報をシリーズ情報の名称に関連付ける情報であるシリーズ関連情報を記憶している記憶部と、シリーズ関連情報を送信する送信部とを備える。
【０００７】
また、本発明にかかる受信装置は、共通する特徴を有する複数の番組間の関連性を示すシリーズ情報をシリーズ情報の名称に関連付ける情報であるシリーズ関連情報を受信する受信部と、受信されたシリーズ関連情報に基づいてシリーズ情報の名称を出力する出力部とを備える。
【０００８】
また、本発明にかかる送信方法は送信装置における送信方法である。送信方法は、共通する特徴を有する複数の番組間の関連性を示すシリーズ情報を前記シリーズ情報の名称に関連付ける情報であるシリーズ関連情報を記憶部に記録するステップと、制御部が前記シリーズ関連情報を前記記憶部から読み出すステップと、前記制御部が、読み出された前記シリーズ関連情報を外部へ送信するステップと、を含む。
【発明の効果】
【０００９】
本発明によれば、シリーズ情報の名称を使用者に対して提示することにより、シリーズ番組として管理される番組の名称を使用者により容易に把握させることが可能となる。これにより、受信装置の利便性がより向上する。
【図面の簡単な説明】
【００１０】
【図１】本実施形態のレコーダと送信装置の構成を示すブロック図
【図２】シリーズＩＤ関連情報を示す図
【図３】シリーズＩＤの有効／無効情報を示す図
【図４】シリーズＩＤのメイン／サブ階層情報を示す図
【図５】番組情報とシリーズＩＤ等の受信動作を説明するためのフローチャート
【図６】ＥＰＧ番組表を使ってシリーズ予約を行う場合の動作を説明するためのフローチャート
【図７】録画予約を行う番組を選択するための番組表（番組情報）を示す図
【図８】単発予約／シリーズ予約の選択画面を示す図
【図９】シリーズ予約の選択画面を示す図
【図１０】シリーズ予約されたシリーズＩＤの一覧を示す図
【図１１】スタートメニューを通じてシリーズ予約を行う場合の動作を説明するためのフローチャート
【図１２】スタートメニューを示す図
【図１３】メインシリーズの選択画面を示す図
【図１４】サブシリーズの選択画面を示す図
【図１５】シリーズＩＤの更新動作を説明するためのフローチャート
【図１６】シリーズＩＤが無効になった場合の表示を示す図
【発明を実施するための形態】
【００１１】
本発明を送信装置とレコーダとに適用した実施形態について、添付の図面を参照しながら説明する。
【００１２】
１．概要
本実施形態では、シリーズ番組の一括的な録画を可能とするための構成を説明する。「シリーズ番組」とは、種々の条件で番組を分類したときの一群の番組、すなわち番組の内容に関して共通の特徴を有する一群の番組のことである。例えば、番組がジャンルで分けられるとき、「ニュース」、「スポーツ」および「ドラマ」などのそれぞれに属する一群の番組がシリーズ番組である。また、複数回に分けて放送されるドラマにおいて、例えばそのドラマの第１話から最終話までがシリーズ番組である。また、野球中継の番組において、所定の球団が試合を行う全ての番組も、シリーズ番組である。また、所定の人物が出演する全ての番組をシリーズ番組としてもよい。以下、「シリーズ番組」は単に「シリーズ」ともいう。
【００１３】
本実施形態の送信装置は、番組を特定するための番組情報として、電子番組表（EPG：Electronic Program Guide）を送信する。本実施形態の送信装置は、同じシリーズ番組に属する番組の番組情報の各々に、同じシリーズに含まれることを示す識別情報（以下、「シリーズＩＤ」と呼ぶ）を付与してから番組情報を送信する。つまり、同一のシリーズＩＤが付与された番組は同一のシリーズに属する。よって、シリーズＩＤによって、そのシリーズＩＤに対応するシリーズ番組に属する番組が特定される。また、本実施形態の送信装置は、シリーズＩＤにシリーズＩＤの名称情報をさらに関連づけて、番組情報を送信する。
【００１４】
本実施形態のレコーダは、本実施形態の送信装置によって送信された番組情報およびシリーズＩＤを受信し、そのシリーズＩＤに基づいて一括的に録画予約動作を実行する。例えば、本実施形態の送信装置がプロ野球番組の番組情報の全てに同一のシリーズＩＤを付与して送信した場合、本実施形態のレコーダは、番組に付与されたシリーズＩＤを参照することで、全てのプロ野球番組を特定でき、それらを一括して録画予約できる。また、本実施形態のレコーダは、受信されたシリーズＩＤに関連づけられた名称情報に基づいて、そのシリーズＩＤに対応するシリーズ番組の名称を、外部のテレビなどに表示させることが可能である。
【００１５】
２．構成
本実施形態の送信装置およびレコーダの構成について図１を参照しながら説明する。送信装置２００はＨＤＤ２１０と、ＬＳＩ２２０と、送信部２３０とで構成される。ＨＤＤ２１０は、各番組にシリーズＩＤが関連付けられた番組情報と、シリーズＩＤに関する情報とを予め記憶している。「シリーズＩＤに関する情報」にはシリーズＩＤに対応する名称を示す名称情報が含まれる。「シリーズＩＤに関する情報」の詳細は後述する。ＬＳＩ２２０は、ＨＤＤ２１０から番組情報およびシリーズＩＤに関する情報を読み出し、これらの情報を、送信部２３０を通じて放送する。ここで送信装置２００は有線または無線によって番組情報を放送する。なお、送信装置２００は例えば放送局に設置される。
【００１６】
レコーダ１００は、地上デジタルチューナ１１０と、ＢＳデジタルチューナ１２０と、ＣＳデジタルチューナ１３０と、ＬＳＩ１４０と、ＨＤＤ（ハードディスクドライブ）１５０と、ＨＤＭＩ（High Definition Multimedia Interface）１６０と、操作部１７０と、リモコン受信部１８０と、リモコン１８５とを備える。
【００１７】
レコーダ１００の地上デジタルチューナ１１０は、アンテナを通じて、放送局の送信装置２００から送信される地上デジタル放送を受信する。ＢＳデジタルチューナ１２０は、アンテナを通じて、送信装置２００から送信されるＢＳデジタル放送を受信する。ＣＳデジタルチューナ１３０は、アンテナを通じて、送信装置２００から送信されるＣＳデジタル放送を受信する。
【００１８】
ＬＳＩ１４０は、エンコーダと、デコーダと、画像処理ブロックと、ＣＰＵと、内蔵メモリ等（これらの要素は図示せず）とを備える。ＬＳＩ１４０は、地上デジタルチューナ１１０またはＢＳデジタルチューナ１２０、ＣＳデジタルチューナ１３０によって受信された映像データに各種処理を施す。具体的には、ＬＳＩ１４０は映像データに対してエンコード、デコード、画像処理等を施す。ＬＳＩ１４０は、エンコード処理を施した圧縮済みの映像データをＨＤＤ１５０に記録する。ＬＳＩ１４０は、ＨＤＤ１５０に記憶された圧縮済みの映像データに対してデコード処理を施す。ＬＳＩ１４０は、デコード済みの映像データを、ＨＤＭＩ１６０を通じて、外部のテレビ１９０等に出力する。
【００１９】
ＨＤＤ１５０は、データを記憶する記憶装置である。ＨＤＭＩ１６０は、映像データおよび音声データを外部のテレビ１９０等に出力するためのインターフェースである。
【００２０】
操作部１７０は使用者の操作を受け付け、その操作内容をＬＳＩ１４０に入力する。リモコン１８５は使用者の操作を受け付け、その操作内容をリモコン受信部１８０を通じてＬＳＩ１４０に入力する。
【００２１】
３．シリーズＩＤに関する情報
前述のとおり送信装置２００は、シリーズＩＤが付与された番組情報と共に、シリーズＩＤに関する情報を送信する。シリーズＩＤに関する情報として、シリーズＩＤ関連情報と、有効／無効情報と、メイン／サブ階層情報とがある。
【００２２】
シリーズＩＤ関連情報について図２を参照しながら説明する。シリーズＩＤ関連情報３００は、各シリーズＩＤに対して付与される。シリーズＩＤ関連情報３００には、シリーズＩＤによって示されるシリーズの名称を示す名称情報３１０が含まれる。図２に示す例では、シリーズＩＤ「０ｘ１１１０」に対して、「プロ野球」という名称情報３１０が対応付けられる。
【００２３】
また、シリーズＩＤ関連情報３００には、関連番組リスト３２０が含まれる。「関連番組リスト」とは、ほぼ同時期に送信される番組情報（ＥＰＧ）に含まれる番組であって、同一のシリーズＩＤが割り振られた番組の一覧を示すリストである。関連番組リスト３２０には、ネットワークＩＤと、放送局ＩＤと、イベントＩＤと、放送日時を示す情報とが含まれる。「ネットワークＩＤ」は、地上波デジタル放送、およびＢＳデジタル放送、ＣＳデジタル放送等の放送の種類を区別するためのＩＤである。「放送局ＩＤ」は、ＮＨＫおよびＢＳＮＨＫ等の放送局を区別するためのＩＤである。「イベントＩＤ」は、各番組を区別するためのＩＤである。「放送日時」は、番組が放送される日時を示す情報である。このようなシリーズＩＤ関連情報３００が、各シリーズＩＤに対して付与される。
【００２４】
本実施形態においては、シリーズＩＤとして、例えば１６ビットの情報（「０ｘ００００」〜「０ｘＦＦＦＥ」）を使用する。この１６ビット情報のいずれかに各シリーズが割り当てられる。つまり、本実施形態においては、６５５３５個（＝２の１６乗−１）のシリーズを区別できる。なお、「０ｘＦＦＦＦ」は、無効と設定されたシリーズＩＤとして使用される。以下、「０ｘＦＦＦＦ」のＩＤを「無効ＩＤ」と呼ぶ。シリーズＩＤの有効／無効について次に説明する。
【００２５】
有効／無効情報４００について図３を参照しながら説明する。有効／無効情報４００は、シリーズＩＤと、シリーズＩＤが有効または無効であることを示すフラグとを対応付けるための情報である。有効／無効情報４００は、「０ｘ００００」〜「０ｘＦＦＦＥ」の全てのシリーズＩＤと、それぞれのシリーズＩＤが有効か無効かを示すフラグとから構成される。本実施形態においては、フラグ「０」が無効を示し、フラグ「１」が有効を示す。このような有効／無効情報４００を使用するのは、有限個のシリーズＩＤを再利用できるようにするためである。
【００２６】
一度シリーズが割り当てられたシリーズＩＤをそのまま使い続ける方式であった場合、新しいシリーズが登場するたびにそのシリーズに新しいシリーズＩＤを割り当てなくてはならない。これを繰り返すといずれはシリーズＩＤが枯渇する。このような課題を解決するために本実施形態では有効／無効情報４００を用いる。
【００２７】
送信装置２００は、有効／無効情報４００を送信することにより、特定のシリーズＩＤが無効となったことをレコーダ１００に通知する。その後、送信装置２００は、無効となったシリーズＩＤに新たなシリーズを対応させ、再度そのシリーズＩＤを有効として送信できる。これにより、送信装置２００は、一度シリーズが対応付けられたシリーズＩＤに対して新たなシリーズを対応付けることが可能であるので、シリーズＩＤを再利用することが可能である。
【００２８】
また、送信装置２００は、特定のシリーズＩＤが無効であるという情報を所定日数（例えば１００日）送信し続ける。これは、仮に送信装置２００が有効／無効情報４００を一度しか送信しない場合には、レコーダ１００は、その一度の送信を受信できなかったときには、そのシリーズＩＤが無効となったことを正しく認識できないからである。仮に、有効／無効情報４００の送信時間にレコーダ１００の電源が抜かれていた場合には、このようなことが生じ得る。そのシリーズＩＤが無効であるという情報が所定日数継続的に送信されることにより、レコーダ１００は、あるシリーズＩＤが無効となった場合に、そのシリーズＩＤが無効となったことを正しく認識できる可能性が上がる。
【００２９】
次に、メイン／サブ階層情報５００について図４を参照しながら説明する。前述のとおり本実施形態ではシリーズ毎に固有のシリーズＩＤが付与される。全てのシリーズは、同一階層でなくてもよい。あるシリーズと別のシリーズとが包含関係にあるような場合がある。例えば、「プロ野球」と「日本シリーズ」との関係を考える。この場合には、「日本シリーズ」は、「プロ野球」に含まれるという関係にある。また、「プロ野球」と「阪神戦」とでは、「阪神戦」は「プロ野球」に含まれるという関係にある。メイン／サブ階層情報５００は、このような複数のシリーズ間の包含関係あるいは階層構造を示す情報である。他のシリーズを含む、より上位のシリーズを「メインシリーズ」と呼ぶ。上位のシリーズが含む、より下位のシリーズを「サブシリーズ」と呼ぶ。よって、サブシリーズはメインシリーズの一部である。
【００３０】
４．動作
４−１．番組情報とシリーズＩＤ関連情報等の受信動作
本実施形態のレコーダ１００による、番組情報、シリーズＩＤ関連情報３００等の受信動作について図５を参照しながら説明する。レコーダ１００は、使用者からの操作の有無に関わらず、番組情報等の受信に備えて待機している（Ｓ１００）。受信待機状態において、ＬＳＩ１４０は、所定の時刻となったか否かを判断する（Ｓ１１０）。具体的には、ＬＳＩ１４０は、内部に有するタイマーが、予め設定された所定の時刻を示したか否かを判断する。ＬＳＩ１４０は、所定の時刻となったと判断すると（Ｓ１１０におけるＹＥＳ）、地上デジタルチューナ１１０が受信すべきチャンネルを、番組情報とシリーズＩＤ関連情報３００等が送信されるチャンネルに設定する（Ｓ１２０）。チャンネル設定が完了すると、ＬＳＩ１４０は、地上デジタルチューナ１１０を通じて、番組情報とシリーズＩＤ関連情報３００等を受信する（Ｓ１３０）。情報の受信が完了すると、ＬＳＩ１４０は、受信した番組情報とシリーズＩＤ関連情報３００等を、ＬＳＩ１４０の内蔵メモリに記憶する（Ｓ１４０）。内蔵メモリに記憶された情報により、レコーダ１００は、番組情報とシリーズＩＤ関連情報３００等を使用した各種制御が可能となる。
【００３１】
４−２．シリーズ予約動作（ＥＰＧから予約される場合）
次に、レコーダ１００のシリーズ予約動作について説明する。ここでは、特にＥＰＧを通じてシリーズ予約を行う場合について図６〜９を参照しながら説明する。「シリーズ予約」とは、同一のシリーズＩＤが付与されたシリーズ番組の録画予約を一括で行うことである。一方、一つの番組を録画予約することを「単発予約」と呼ぶ。
【００３２】
ＬＳＩ１４０は、操作部１７０またはリモコン１８５を通じて使用者からＥＰＧの表示指示を受け付けると、ＨＤＭＩ１６０を通じて、内蔵メモリに記憶された番組情報（ＥＰＧ）を外部のテレビ１９０に出力し、図７で示すような番組表を表示させる（Ｓ２００）。番組情報を外部のテレビ１９０に出力すると、ＬＳＩ１４０は、使用者から番組の録画予約指示を操作部１７０またはリモコン１８５を通じて受け付けるまで待機する（Ｓ２１０）。なお、番組情報を表示する表示装置１９０はテレビ以外のものであってもよい。
【００３３】
ＬＳＩ１４０は、使用者から番組の録画予約指示を受け付けると（ステップＳ２１０におけるＹＥＳ）、選択された番組のみを予約する単発予約を実行するか、あるいは選択された番組を含むシリーズ予約を実行するかを、使用者に選択させる選択画面に関する情報を、ＨＤＭＩ１６０を通じて、外部のテレビ１９０に出力する（Ｓ２２０）。具体的には、ＬＳＩ１４０は、図８に示すような選択画面をテレビ１９０に出力する。使用者は、単発予約かシリーズ予約のいずれかをカーソルで選択することにより、どちらの録画予約を行うかを選択できる。
【００３４】
ＬＳＩ１４０は、選択画面を外部のテレビ１９０に出力すると、使用者から単発予約かシリーズ予約かが選択されるまで待機する（Ｓ２３０）。ＬＳＩ１４０は、単発予約が選択されたと判断すると（ステップＳ２３０における「単発予約」）、使用者によって選択された番組のみを録画予約し（Ｓ２４０）、予約動作を終了する。
【００３５】
一方、ＬＳＩ１４０は、シリーズ予約が選択されたと判断すると（ステップＳ２３０における「シリーズ予約」）、選択された番組に付与されたシリーズＩＤに対応する名称情報を、シリーズＩＤ関連情報３００から取得する（Ｓ２５０）。そして、ＬＳＩ１４０は、取得した名称情報と、特定の文字列（本実施形態においては「まるごと録り」という文字列）とを併せた新しい文字列を生成する。ＬＳＩ１４０は、この新しい文字列を名前とする選択肢を有する、選択画面を示す情報を、ＨＤＭＩ１６０を通じて外部のテレビ１９０に出力する（Ｓ２５０）。具体的には、ＬＳＩ１４０は、図９に示すような選択画面を外部のテレビ１９０に出力する。この例では、使用者により選択された番組に、３つのシリーズＩＤ（「プロ野球」を示すＩＤ（０ｘ１１１０）、「巨人戦」を示すＩＤ（０ｘ１１１３）、「阪神戦」を示すＩＤ（０ｘ１１１２））が付与されていると想定する。よって、本例では、選択肢として「プロ野球まるごと録り」と「巨人戦まるごと録り」、「阪神戦まるごと録り」の３つが表示される。
【００３６】
ＬＳＩ１４０は、シリーズ選択画面を示す情報を外部のテレビ１９０に出力すると、使用者によってシリーズの選択が行われるまで待機する（Ｓ２６０）。シリーズの選択が行われると（ステップＳ２６０におけるＹＥＳ）、ＬＳＩ１４０は、選択されたシリーズＩＤをシリーズ予約の対象として、図１０に示すようなシリーズ予約リスト６００に追加する（Ｓ２７０）。なお、シリーズ選択時、複数のシリーズＩＤが選択されてもよい。また、シリーズ予約リスト６００の表示時に、シリーズＩＤ自体がテレビ１９０の画面を通じて使用者に示されてもよいし、示されなくてもよい。
【００３７】
シリーズ予約リスト６００にシリーズＩＤが追加されると、ＬＳＩ１４０は、追加されたシリーズＩＤに対応するシリーズＩＤ関連情報３００において、関連番組リスト３２０に含まれる各番組に対して録画予約を行う（Ｓ２８０）。
【００３８】
４−３．シリーズ予約動作（スタートメニューから予約される場合）
次に、スタートメニューからシリーズ予約を行う場合の動作について、図１１のフローチャートを参照しながら説明する。「スタートメニュー」は、レコーダ１００が使用者の指示を受け付けるためのインターフェースである。
【００３９】
ＬＳＩ１４０は、操作部１７０またはリモコン１８５を通じて、使用者によるスタートメニュー画面の表示指示を受け付けると、図１２に示すようなスタートメニュー画面を示す情報を、ＨＤＭＩ１６０を通じて外部のテレビ１９０に出力する（Ｓ３００）。スタートメニュー画面には「シリーズ予約」、「番組を見る」、「番組表を表示」などの選択項目が含まれる。使用者によってこれらの選択項目のいずれかが選択されることにより、レコーダ１００はその項目に対応する動作を実行する。
【００４０】
スタートメニュー画面を示す情報が出力されると、ＬＳＩ１４０は、使用者によって項目「シリーズ予約」が選択されたか否かを判断する（Ｓ３１０）。ＬＳＩ１４０は、「シリーズ予約」以外の項目が選択されたと判断すると（ステップＳ３１０におけるＮＯ）、選択された項目に対応する機能を実行した後、再びシリーズ予約が選択されたか否かを判断する動作（Ｓ３１０）に戻る。ここで、「シリーズ予約」以外の項目に対応する機能についての説明は、省略する。一方、ＬＳＩ１４０は、シリーズ予約が選択されたと判断すると（ステップＳ３１０におけるＹＥＳ）、図１３に示すようなメインシリーズの選択画面を示す情報を、ＨＤＭＩ１６０を通じて外部のテレビ１９０に出力する（Ｓ３２０）。メインシリーズの選択画面において使用者は操作部１７０および／またはリモコン１８５を操作してカーソルを移動させることでメインシリーズの一つを選択できる。
【００４１】
ＬＳＩ１４０は、メインシリーズ選択画面を出力すると、使用者によってメインシリーズが選択されたか否かを判断する（Ｓ３３０）。ＬＳＩ１４０は、使用者によるメインシリーズの選択を受け付けると（Ｓ３３０におけるＹＥＳ）、図１４に示すようなサブシリーズの選択画面を示す情報を、ＨＤＭＩ１６０を通じて外部のテレビ１９０に出力する（Ｓ３４０）。このときテレビ１９０によって表示されるサブシリーズの一覧は、図４で示したようなシリーズＩＤの階層情報に基づいて決定される。本例では、「プロ野球」シリーズの下位には「日本シリーズ」、「阪神戦」、「巨人戦」および「広島戦」というサブシリーズが関連付けられている。したがって、メインシリーズとして「プロ野球」が選択されると、サブシリーズの一覧には、「日本シリーズ」、「阪神戦」、「巨人戦」および「広島戦」の項目が表示される。
【００４２】
ＬＳＩ１４０は、サブシリーズの選択画面を出力すると、使用者によってサブシリーズが選択されたか否かを判断する（Ｓ３５０）。ＬＳＩ１４０は、サブシリーズの選択を受け付けると、選択されたシリーズをシリーズ予約の対象として、図１０に示すようなシリーズ予約リスト６００に追加する（Ｓ３６０）。ＬＳＩ１４０は、シリーズ予約リスト６００にシリーズＩＤを追加すると、追加されたシリーズＩＤに付与されたシリーズＩＤ関連情報３００に含まれる関連番組リスト３２０に記述された各番組に対して録画予約を行う（Ｓ３７０）。
【００４３】
４−４．シリーズＩＤの更新動作
次に、シリーズＩＤの更新動作について図１５のフローチャートを参照しながら説明する。
【００４４】
ＬＳＩ１４０は、例えば図５のフローチャートのステップＳ１４０のように番組情報とシリーズＩＤに関する情報等とをＬＳＩ１４０の内蔵メモリに記憶すると（Ｓ４００）、受信された有効／無効情報４００およびシリーズ予約リスト６００に基づいて、シリーズ予約リスト６００に無効なシリーズＩＤがあるか否かを判断する（Ｓ４１０）。
【００４５】
ＬＳＩ１４０は、シリーズ予約リスト６００に無効なシリーズＩＤがあると判断すると（ステップＳ４１０におけるＹＥＳ）、シリーズ予約リスト６００のうち無効なシリーズＩＤを無効ＩＤ（０ｘＦＦＦＦ）に置き換える（Ｓ４２０）。そしてＬＳＩ１４０は、使用者が次回、シリーズ予約の一覧（シリーズ予約リスト６００）を表示した際に、図１６に示すような画面を外部のテレビ１９０に表示させる。つまりＬＳＩ１４０は、アイコン７００のような表示を行うことにより、使用者にシリーズＩＤが無効となったことを知らせることができる。本例では、「ドラマ」シリーズに対応するシリーズＩＤが無効と設定されたので、「ドラマ」項目の右横に「終了」というアイコン７００が表示される。
【００４６】
なお、必ずしも図１６に示すような構成とする必要はなく、例えば、使用者が次回、レコーダ１００の電源をＯＮした際に、シリーズ予約していたシリーズが無効となったことが、ポップアップ画面によって表示されるような構成としてもよい。
【００４７】
一方、ＬＳＩ１４０は、無効なシリーズＩＤがないと判断すると（ステップＳ４１０におけるＮＯ）、シリーズ予約リスト６００の情報に対して何ら処理を施さずそのまま維持する（Ｓ４３０）。
【００４８】
このように、本実施形態の送信装置２００は、シリーズＩＤ関連情報３００に、シリーズの名称を示す名称情報３１０を含むとした。これにより、本実施形態のレコーダ１００は、図９に示す例のように１つの番組に複数のシリーズＩＤが付与されている場合に、各シリーズＩＤに対応する名称情報３１０を選択肢として表示する。つまり、レコーダ１００は、数字の羅列であるＩＤではなく、文字列が示すシリーズを一括録画予約の選択対象としてテレビ１９０に出力できる。これにより、使用者にとって理解しやすい形で選択肢を提示することが可能となる。
【００４９】
また、本実施形態の送信装置２００によって送信されるシリーズＩＤ関連情報３００は、図２に示すように、番組の放送日時に関する情報を含む。よってレコーダ１００は、シリーズ予約動作中にシリーズ予約対象の番組を番組情報（ＥＰＧ）から検索するとき、放送日時に関する情報を参照して特定の日時の範囲内で検索すれば充分である。特定の日時の範囲内のみを検索することにより、番組情報（ＥＰＧ）内の全ての番組を検索することに比べて、検索時間を短縮できる。よって、シリーズ予約動作にかかる時間を短縮できるので、レコーダ１００の利便性がより向上する。
【００５０】
また、本実施形態のレコーダ１００は、使用者によってシリーズ予約が選択されると、選択された番組に付与されたシリーズＩＤに対応する名称情報３１０に、特定の文字列を付加して選択項目として出力することとした。これにより、レコーダ１００は、シリーズ予約の動作内容をより分かりやすく使用者に伝えることができる。例えば、レコーダ１００は、シリーズＩＤに付与された名称情報３１０に「まるごと録り」という文字列を付加して出力する。これによりレコーダ１００は、使用者によって選択されたシリーズに関する番組を、一括で予約できると使用者に認識させることができる。なお、特定の文字列を付加せずに、シリーズＩＤに対応する名称情報３１０のみを選択肢として表示してもよい。
【００５１】
また、本実施形態のレコーダ１００は、使用者によってシリーズ予約が選択されると、そのシリーズ予約の対象となったシリーズＩＤおよびそのシリーズＩＤの名称情報３１０をシリーズ予約リスト６００に追加することとした。これにより、放送局等にある送信装置２００等から送信された番組情報が変更された場合でも、レコーダ１００は、シリーズ予約されたシリーズＩＤが付与された番組を継続して録画予約しつづけることが可能である。
【００５２】
５．本実施形態のまとめ
以上のとおり、本実施形態の送信装置２００は、共通する特徴を有する複数の番組間の関連性を示すシリーズＩＤをシリーズＩＤに対応する名称情報３１０に関連付ける情報であるシリーズ関連情報３００を記憶しているＨＤＤ２１０と、シリーズ関連情報３００を送信する送信部２３０とを備える。
【００５３】
また、本実施形態のレコーダ１００は、共通する特徴を有する複数の番組間の関連性を示すシリーズＩＤをシリーズＩＤに対応する名称情報３１０に関連付ける情報であるシリーズ関連情報３００を受信するチューナ１１０、１２０、１３０と、受信されたシリーズ関連情報３００に基づいてシリーズＩＤの名称を出力するＨＤＭＩ１６０とを備える。
【００５４】
このような構成によって本実施形態のレコーダ１００は、数字の羅列であるシリーズＩＤではなく、そのシリーズＩＤに対応する名称情報３１０を使用者に対して提示することにより、シリーズＩＤが示すシリーズ番組の名称を使用者に、より容易に把握させることが可能である。これにより、レコーダ１００の利便性がより向上する。
【００５５】
６．他の実施形態
前述の実施形態が対象とする番組は動画であったが、本発明はこれに限定されない。音声のみによる番組に対しても本発明は適用できる。
【００５６】
また、前述の実施形態では、レコーダ１００はチューナを３つ（地上デジタルチューナ１１０、ＢＳデジタルチューナ１２０、ＣＳデジタルチューナ１３０）備えたが、本発明はこれに限定されない。これらのうちのいずれか１つのみでもよく、あるいは４つ以上のチューナを備えてもよい。また、チューナと共に、もしくはチューナの代わりにインターネットに接続可能な受信部を備え、この受信部を通じて、シリーズ関連情報等を受信してもよい。インターネットに接続可能な受信部は、無線ＬＡＮや有線ＬＡＮに接続可能なモジュール等によって実現できる。
【００５７】
また、前述の実施形態では、レコーダ１００が映像データおよび音声データを外部のテレビ１９０に出力するためのインターフェースはＨＤＭＩ１６０であったが、本発明はこれに限定されない。ＨＤＭＩ１６０以外のインターフェースであってもよい。ＲＧＢインターフェースやＵＳＢインターフェースなどでもよい。また、無線インターフェースでもよい。
【産業上の利用可能性】
【００５８】
本発明は、レコーダ等の受信装置、放送波を放送する放送装置等に適用できる。
【符号の説明】
【００５９】
１００  レコーダ
１１０  地上デジタルチューナ
１２０  ＢＳデジタルチューナ
１３０  ＣＳデジタルチューナ
１４０  ＬＳＩ
１５０  ＨＤＤ
１６０  ＨＤＭＩ
１７０  操作部
１８０  リモコン受信部
１８５  リモコン
２００  送信装置
２１０  ＨＤＤ
２２０  ＬＳＩ
２３０  送信部
３００  シリーズＩＤ関連情報
３１０  名称情報
３２０  関連番組リスト
４００  有効／無効情報
５００  メイン／サブ階層情報
６００  シリーズ予約リスト
７００  アイコン
【図１】
2013042485.tif 000003
【図２】
2013042485.tif 000004
【図３】
2013042485.tif 000005
【図４】
2013042485.tif 000006
【図５】
2013042485.tif 000007
【図６】
2013042485.tif 000008
【図７】
2013042485.tif 000009
【図８】
2013042485.tif 000010
【図９】
2013042485.tif 000011
【図１０】
2013042485.tif 000012
【図１１】
2013042485.tif 000013
【図１２】
2013042485.tif 000014
【図１３】
2013042485.tif 000015
【図１４】
2013042485.tif 000016
【図１５】
2013042485.tif 000017
【図１６】
2013042485.tif 000018